(57)【要約】【課題】防水携帯端末において、防水パッキンを増やすことなく、簡単な構造で確実に防水機能を発揮するようにする。【解決手段】筐体３を密閉状に覆うリアカバー４の裏面に防水用リブ７を立設し、筐体３に内壁９を形成して防水用リブ７を覆い、防水用リブ７と内壁９との間を防水パッキン８で密封する。そして、内壁９に防水用リブ７の先端が挿入されるリブ挿入部１０を形成する。【選択図】図１
2013258463.tif 000002
【特許請求の範囲】
【請求項１】
端末本体と、該端末本体を密閉状に覆うカバーとを備えた防水携帯端末において、
上記カバーの裏面に立設された防水用リブと、
上記端末本体に形成されて上記防水用リブを覆う内壁と、
上記防水用リブと上記内壁との間に設けられて該防水用リブと該内壁との間を密封する防水パッキンと、
上記内壁に形成され、上記防水用リブの先端が挿入されて該防水用リブの倒れを防止するリブ挿入部とを備えている
ことを特徴とする防水携帯端末。
【請求項２】
請求項１に記載の防水携帯端末において、
上記カバーは、充電池を覆う電池カバーであり、
上記防水用リブは、上記充電池の外周を覆うように枠状に形成されている
ことを特徴とする防水携帯端末。
【請求項３】
請求項１又は２に記載の防水携帯端末において、
上記リブ挿入部は、上記内壁に開口された貫通孔である
ことを特徴とする防水携帯端末。
【請求項４】
請求項１又は２に記載の防水携帯端末において、
上記リブ挿入部は、上記内壁に凹陥された溝である
ことを特徴とする防水携帯端末。
【発明の詳細な説明】
【技術分野】
【０００１】
本発明は、端末本体と、この端末本体を密閉状に覆うカバーとを備えた防水携帯端末に関するものである。
【背景技術】
【０００２】
従来より、携帯電話機のように携帯する機会の多い携帯端末では、防水機能を備えるようになってきている。特に充電池のような電気部品を覆うカバーには、高い防水性が要求される。
【０００３】
例えば図８に示すように、カバー１０４の裏面に枠状の防水用リブ１０７が形成され、その防水用リブ１０７が防水パッキン１０８で覆われている場合、防水パッキン１０８と筐体内壁１０９との間で防水機能を発揮するために、防水パッキン１０８に膨出部１０８ａを設け、筐体内壁１０９側へ押し付けるようにしている。このため、防水用リブ１０７が筐体内壁１０９に押されて内側へ撓んで倒れるのを防ぐための倒れ防止用のリブ１１０が必要となる。
【０００４】
また、図９に示すように、カバー２０４の防水用リブ２０７側ではなく、内壁２０９が防水パッキン２０８で覆われている場合にも、防水性を発揮するために防水用リブ２０７に膨出部２０７ａを形成する必要があるので、膨出部２０７ａが内壁２０９に押されて倒れるのを防ぐための倒れ防止用のリブ２１０が必要となる。
【０００５】
そうすると、図８及び図９で示す従来技術では、リブ１１０，２１０を避けるために充電池１０５，２０５の大きさが制限されてしまう。
【０００６】
そこで例えば、特許文献１のように、筐体を密封するための第１及び第２のパッキンとを備えた防水装置が知られている。この防水装置では、筐体とカバーとは、カバーが開口部を閉成したときに、第１のパッキンを圧縮すると共に第２のパッキンを挟んで対向し、筐体とカバーとに掛かる押圧力に応じて第２のパッキンを圧縮するようにして防水性を保つようにしている。
【先行技術文献】
【特許文献】
【０００７】
【特許文献１】特開２０１１−２３９０９９号公報
【発明の概要】
【発明が解決しようとする課題】
【０００８】
しかしながら、上記特許文献１の防水装置では、２つのパッキンを設けなければならず、部品点数が増えて構造が複雑になるという問題がある。
【０００９】
本発明は、かかる点に鑑みてなされたものであり、その目的とするところは、防水パッキンを増やすことなく、簡単な構造で確実に防水機能を発揮するようにすることにある。
【課題を解決するための手段】
【００１０】
上記の目的を達成するために、この発明では、防水用リブを内壁のリブ挿入部に挿入させるようにした。
【００１１】
具体的には、第１の発明では、端末本体と、該端末本体を密閉状に覆うカバーとを備えた防水携帯端末を前提とする。
【００１２】
上記防水携帯端末は、
上記カバーの裏面に立設された防水用リブと、
上記端末本体に形成されて上記防水用リブを覆う内壁と、
上記防水用リブと上記内壁との間に設けられる防水パッキンと、
上記内壁に形成され、上記防水用リブの先端が挿入されて該防水用リブの倒れを防止するリブ挿入部とを備えている。
【００１３】
上記の構成によると、防水用リブの先端が内壁のリブ挿入部に挿入されるので、カバーで端末本体を覆ったときに防水用リブが内側に倒れるのが確実に防止される。このため、防水用リブの倒れ防止用のリブを設けなくても防水性が確保される。
【００１４】
第２の発明では、第１の発明において、
上記カバーは、充電池を覆う電池カバーであり、
上記防水用リブは、上記充電池の外周を覆うように枠状に形成されている。
【００１５】
上記の構成によると、防水用リブの倒れ防止用のリブを設ける必要がないので、充電池を防水用リブに近接させることができ、充電池のためのスペースを確保しやすい。
【００１６】
第３の発明では、第１又は第２の発明において、
上記リブ挿入部は、上記内壁に開口された貫通孔である。
【００１７】
上記の構成によると、内壁に貫通孔を設けるだけで密閉性を保てるので、第２のパッキンを設ける必要がなく、構造が簡単となる。
【００１８】
第４の発明では、第１又は第２の発明において、
上記リブ挿入部は、上記内壁に凹陥された溝である。
【００１９】
上記の構成によると、内壁に溝を形成すれば密閉性を保てるので、第２のパッキンを設ける必要がなく、構造が簡単となる。
【発明の効果】
【００２０】
以上説明したように、本発明によれば、カバーの裏面に防水用リブを立設し、この防水用リブを防水パッキンで覆い、端末本体に形成された防水用リブを覆う内壁に防水用リブの先端が挿入されるリブ挿入部を設けたことにより、防水パッキンを増やすことなく、簡単な構造で確実に防水機能を発揮することができる。
【図面の簡単な説明】
【００２１】
【図１】図４のＩ部拡大断面図である。
【図２】本発明の実施形態に係る防水携帯電話機を示す斜視図である。
【図３】防水携帯電話機を示す正面図である。
【図４】図３のIV−IV線断面図である。
【図５】リアカバーを示す正面図である。
【図６】リブ挿入部が貫通孔の変形例を示す断面図である。
【図７】その他の実施形態を示す図１相当図である。
【図８】従来の防水構造を示す断面図である。
【図９】従来の別の防水構造を示す断面図である。
【発明を実施するための形態】
【００２２】
以下、本発明の実施形態を図面に基づいて説明する。
【００２３】
図２〜図４は本発明の実施形態の防水携帯端末としての防水携帯電話機１を示し、この防水携帯電話機１は、正面側に表示部２を収容する端末本体としての筐体３を備えている。この筐体３は、表示部２を収容する正面側キャビネット３ａと充電池５が収容される電池収容部６が形成された背面側キャビネット３ｂとを有する。背面側キャビネット３ｂの背面のほぼ全体がリアカバー４で覆われている。背面側キャビネット３ｂは、例えば樹脂成形品よりなる。
【００２４】
図５に示すように、リアカバー４は、例えば矩形皿状の樹脂成形品よりなり、その裏面には、図１にも示すように、矩形枠状に防水用リブ７が一体成形されている。防水用リブ７は、充電池５の外形よりも一回り大きい内周を有する。この防水用リブ７は、シリコン等よりなる防水パッキン８で覆われている。防水パッキン８は、リアカバー４にインサート成形してもよいし、接着剤などで接着してもよい。
【００２５】
電池収容部６は、防水用リブ７の外周よりも一回り大きい内周を有する内壁９を有する。この内壁９の底面（隅角部の正面側の面）には、防水用リブ７の先端が挿入されるリブ挿入部１０が背面側キャビネット３ｂの成形時に形成されている。このリブ挿入部１０は、連続した溝で構成されている。なお、リブ挿入部１０として非連続の溝を離散的に配置してもよく、このリブ挿入部１０のある部分の防水用リブ７の先端のみを伸ばしてもよい。防水パッキン８で覆われた防水用リブ７の先端の幅よりもリブ挿入部１０の幅を若干大きくして製造誤差等を吸収できるようにするのが望ましい。
【００２６】
例えば図６に示すように、このリブ挿入部１０’を非連続の貫通孔としてもよい。この貫通孔を背面側キャビネット３ｂの成形時に貫通形成すればよい。
【００２７】
このように、防水用リブ７の先端を内壁９のリブ挿入部１０に挿入することにより、リアカバー４で筐体３を覆ったときに防水用リブ７が内側（充電池５側）に倒れるのが確実に防止される。このため、防水用リブ７の倒れ防止用のために、図８及び図９のようなリブ１１０，２１０を設ける必要がない。
【００２８】
そして、防水用リブ７の倒れ防止用のリブ１１０，２１０を設ける必要がないので、充電池５を防水用リブ７に近接させることができ、充電池５のためのスペースを確保しやすい。
【００２９】
したがって、本実施形態に係る防水携帯電話機１によると、リアカバー４の裏面に防水用リブ７を立設し、この防水用リブ７を防水パッキン８で覆い、筐体３に形成された防水用リブ７を覆う内壁９に防水用リブ７の先端が挿入されるリブ挿入部１０を設けたことにより、防水パッキン８を増やすことなく、簡単な構造で確実に防水機能を発揮することができる。
【００３０】
（その他の実施形態）
本発明は、上記実施形態について、以下のような構成としてもよい。
【００３１】
すなわち、上記実施形態では、防水用リブ７の外周を防水パッキン８で覆っているが、図７に示すように、内壁９側に防水パッキン８を接着又は一体成形して設けてもよい。この場合、防水用リブ７の突起７ａが防水パッキン８に押し付けられることで密閉性を確保するようにしているが、この場合でも、防水用リブ７の先端をリブ挿入部１０に挿入することにより、防水用リブ７の倒れを防止することができる。図６のようにリブ挿入部１０が貫通孔の場合でも同様である。
【００３２】
上記実施形態では、カバーは、充電池５を覆うリアカバー４としたが、このカバーは、充電池以外の他の電子部品を覆うカバーでもよく、その位置も特に限定されない。
【００３３】
なお、以上の実施形態は、本質的に好ましい例示であって、本発明、その適用物や用途の範囲を制限することを意図するものではない。
【産業上の利用可能性】
【００３４】
以上説明したように、本発明は、充電池を覆う電池蓋を有する携帯電話機などの防水携帯電話機について有用である。
【符号の説明】
【００３５】
１      防水携帯電話機（防水携帯端末）
２      表示部
３      筐体
３ａ    正面側キャビネット
３ｂ    背面側キャビネット
４      リアカバー（カバー）
５      充電池
６      電池収容部
７      防水用リブ
７ａ    突起
８      防水パッキン
９      内壁
１０，１０’    リブ挿入部
【図１】
2013258463.tif 000003
【図２】
2013258463.tif 000004
【図３】
2013258463.tif 000005
【図４】
2013258463.tif 000006
【図５】
2013258463.tif 000007
【図６】
2013258463.tif 000008
【図７】
2013258463.tif 000009
【図８】
2013258463.tif 000010
【図９】
2013258463.tif 000011